(57)【特許請求の範囲】
【請求項１】
発呼側の電話番号を通知する電話回線に接続されるとともに、外部通信装置を接続する接続手段を有する通信装置において、
本通信装置により発呼者電話番号の検出シーケンスを行うか、上記接続手段に接続する外部通信装置に発呼者電話番号の検出シーケンスを行わせるか、を選択的に切り換える選択手段と；
上記選択手段により上記外部通信装置に発呼者電話番号の検出シーケンスを行わせると選択された場合に、上記検出シーケンスを監視し、電話回線から送られてくる発呼者電話番号をモニタするモニタ手段と；
上記モニタ手段によりモニタした発呼者電話番号を表示する表示手段と；
上記モニタ手段によりモニタした発呼者電話番号に係わらず、電話回線からの呼出信号が検出されると、着呼を通知する通知手段と；
上記発呼者電話番号の後に送られてきた呼出信号に対して、上記外部通信装置が応答したか、上記通信装置が応答したかを識別する識別手段と；
上記識別手段により上記外部通信装置が応答したと識別された場合に、上記選択手段による選択に係わらず、データ通信であることを示すデータ通信信号の検出を行う第１の検出手段と；
上記第１の検出手段による検出に応じて、通信相手とデータ通信を行うデータ通信手段と；
を有することを特徴とする通信装置。
【請求項２】
請求項１において、
上記選択手段により発呼者電話番号の検出シーケンスを本通信装置により行うと選択された場合に、発呼者電話番号の検出シーケンスを実行し、電話回線から送られてくる発呼者電話番号を検出する第２の検出手段と；
上記第２の検出手段により検出された発呼者電話番号が、データ通信用に登録されている電話番号か否かを判別する判別手段と；
を有することを特徴とする通信装置。
【請求項３】
請求項１において、
上記選択手段により発呼者電話番号の検出シーケンスを本通信装置により行うと選択された場合に、発呼者電話番号の検出シーケンスを実行し、電話回線から送られてくる発呼者電話番号を検出する第２の検出手段と；
上記第２の検出手段により検出された発呼者電話番号に応じて、呼出信号に対するオペレータ呼び出しを行うように制御する制御手段と；
を有することを特徴とする通信装置。
【発明の詳細な説明】
【０００１】
【発明の属する技術分野】
本発明は、通信装置に関し、特に外部通信装置を接続することができる通信装置に関する。
【０００２】
【従来の技術】
従来より、この種の通信装置では、交換機から送られてきた発呼側電話番号の代表的な利用方法として、検出した発呼側電話番号を液晶表示部に表示させるというものがあった。
【０００３】
しかしながら、この種の通信装置を、１つの電話回線に２台以上接続しようとした場合、互いの検出手段が発呼側電話番号を検出しようとすると、回線インピーダンスがマッチングせず、誤動作もしくは互いに検出することができないこととなる。したがって、この場合、どちらか一方の通信装置しか交換機から送られてくる発呼側電話番号サービスを受けることができなかった。
【０００４】
【発明が解決しようとする課題】
上述のように、従来の通信装置では、発呼側電話番号を検出する手段を有する通信装置を、１つの電話回線に２台以上接続することはできないという欠点があった。
【０００５】
また、発呼側電話番号を検出する手段を無効にできる通信装置の場合、その機能を無効にすることで、１つの電話回線にその種の通信装置を２台以上接続することは可能であるが、発呼側電話番号の検出および表示は、１つの通信端末しかできないという欠点があった。
【０００６】
本発明は、発呼側電話番号の検出シーケンスを実行することができる装置を、１つの回線に複数台接続する場合に、どちらの装置が発呼側電話番号の検出を行うかを選択でき、この選択を行っても適切な着呼制御を行えるようにすることを目的とする。
【０００８】
【課題を解決するための手段】
本発明は、発呼側の電話番号を通知する電話回線に接続されるとともに、外部通信装置を接続する接続手段を有する通信装置において、本通信装置により発呼者電話番号の検出シーケンスを行うか、上記接続手段に接続する外部通信装置に発呼者電話番号の検出シーケンスを行わせるか、を選択的に切り換える選択手段と、上記選択手段により上記外部通信装置に発呼者電話番号の検出シーケンスを行わせると選択された場合に、上記検出シーケンスを監視し、電話回線から送られてくる発呼者電話番号をモニタするモニタ手段と、上記モニタ手段によりモニタした発呼者電話番号を表示する表示手段と、上記モニタ手段によりモニタした発呼者電話番号に係わらず、電話回線からの呼出信号が検出されると、着呼を通知する通知手段と、上記発呼者電話番号の後に送られてきた呼出信号に対して、上記外部通信装置が応答したか、上記通信装置が応答したかを識別する識別手段と、上記識別手段により上記外部通信装置が応答したと識別された場合に、上記選択手段による選択に係わらず、データ通信であることを示すデータ通信信号の検出を行う第１の検出手段と、上記第１の検出手段による検出に応じて、通信相手とデータ通信を行うデータ通信手段とを有することを特徴とする通信装置を提供する。
【００１０】
【発明の実施の形態および実施例】
図１は、本発明による通信装置の実施例であるファクシミリ装置の構成を示すブロック図である。
【００１１】
ＣＰＵ１−１は、ＲＯＭ１−２に記憶されているプログラムに従って、本ファクシミリ装置全体、すなわちＲＡＭ１−３、不揮発性ＲＡＭ１−４、操作部１−５、表示部１−６、画像処理部１−７、読み取り部１−８、記録部１−９、駆動部１−１０、モデム１−１１、ＮＣＵ部１−１２、センサ部１−１４等の制御を行う中央演算処理装置である。
【００１２】
ＲＡＭ１−３は、ＤＲＡＭで構成される読み書き可能なメモリで、読み取り部１−８によって読み取られた画像を画像処理部１−７を介して得た画像データ、または記録部１−９で記録される画像データを格納し、さらにはモデム１−１１によって変調された信号をＮＣＵ部１−１２を介して加入者回線１−１５から出力される二値化データを格納するものである。また、ＲＡＭ１−３は加入者回線１−１５から入力されたアナログ信号をＮＣＵ部１−１２を介して、モデム１−１１によって復調し、その二値化データを格納するためにも用いられる。
【００１３】
不揮発性ＲＡＭ１−４は、バッテリ等でバックアップされたＳＲＡＭで、装置固有の電話番号、ユーザ略称等のデータ、短縮ダイヤル等の電話番号や通信結果が記憶され、さらに後で詳しく述べる発呼側電話番号を格納するために用いられる。
【００１４】
操作部１−５は、送信、受信等のスタートキー、電話番号や数字を入力するテンキー、短縮ダイヤルキー、送信画像におけるファイン、スタンダード等の操作モードを指定するモードキー、複写時におけるコピーキー、各種動作をクリアするストップキー、後述するＩＤ検出切り換えキー等から構成される。なお、ＣＰＵ１−１は、これらのキーの押下状態を検出して、その状態に応じて各部を制御する。
【００１５】
表示部１−６は、ドットマトリックスタイプのＬＣＤ（液晶表示器）と、ＬＣＤドライバから構成されており、ＣＰＵ１−１からの制御に基づいて各種表示を行う。
【００１６】
画像処理部１−７は、読み取り部１−８を制御するクロック供給回路、ピークホールド回路、シェーディング補正回路、Ａ／Ｄ変換回路およびＤＭＡコントローラ等からなり、読み取り部１−８によって読み取られた画像データに、二値、１６階調、６４階調の画像処理を施し、処理した画像データをＲＡＭ１−３に転送する。
【００１７】
読み取り部１−８は、ＣＣＤもしくは密着型イメージセンサ（ＣＳ）等の光電変換手段を具備し、ＣＰＵ１−１の制御に基づいて、ＣＣＤまたはＣＳを使用して原稿を読み取った画像データを順次画像処理部１−７に送るものである。
【００１８】
記録部１−９は、ＤＭＡコントローラ、Ｂ４／Ａ４サイズのサーマルヘッドまたはＢＪプリンタヘッド（バブルジェットプリンタヘッド）および汎用ＩＣ等によって構成され、ＣＰＵ１−１の制御によってＲＡＭ１−３に格納されている記録データを取り出し、ハードコピーとしてプリントアウトするものである。
【００１９】
駆動部１−１０は、読み取り部１−８および記録部１−９の給排紙ローラを駆動するためのステッピングモータと、モータの駆動力を伝達するためのギヤと、モータを制御するためのドライバ回路等から構成される。
【００２０】
モデム１−１１は、Ｖ．３４、Ｖ．３２、Ｖ．３２ｂｉｓ、Ｖ．１７、Ｖ．２９、Ｖ．２７ｔｅｒ、Ｖ．２３、Ｖ．２１（Ｈ、Ｌ）モデムと、これらのモデムに接続されたクロック発生回路等から構成され、ＣＰＵ１−１の制御に基づいてＲＡＭ１−３に格納されている送信データを変調し、ＮＣＵ部１−１２を介して加入者回線１−１５に出力するものである。
【００２１】
さらにモデム１−１１は、加入者回線１−１５からのアナログ信号をＮＣＵ部１−１２を介して導入し、これを復調して二値化したデータをＲＡＭ１−３に格納するものである。
【００２２】
また、回線から送られてくるＩＴＵ−Ｔ勧告Ｖ．２３に準拠した情報信号から発呼側電話番号を検出する。
【００２３】
ＮＣＵ部１−１２は、直流の捕捉回路、交流の補捉回路、Ｃｉ（呼出信号）検出回路、回線の極性反転検出回路、２線４線変換回路等からなり、加入者回線１−１５をモデム１−１１に接続するものである。
【００２４】
さらに、後述する外部電話機１−１３を加入者回線１−１５に接続可能である。加入者回線１−１５は、ＮＣＵ部１−１２に接続する公衆電話回線である。
【００２５】
センサ部１−１４は、記録紙幅センサ、記録紙有無センサ、原稿幅センサおよび、原稿有無センサ等から構成され、ＣＰＵ１−１の制御により、原稿および記録紙の状態検知を行う。
【００２６】
図２は、本発明におけるＮＣＵ部１−１２のさらに詳しい構成を示す回路図であり、以下、この図について説明する。
【００２７】
Ｃｉ信号検出回路１−１２−１は、交換機からの着信を示すＣｉ信号を検出するための回路であり、Ｃｉ信号を検出したことをＣＰＵ１−１に対し、通知する。また、発呼側電話番号を検出する場合には、交換機から加入者回線を介して送られてくるＩＤ受信端末起動信号を検出し、ＣＰＵ１−１に通知する。
【００２８】
サージアブソーバ１−１２−２は、回線間に挿入されている外来ノイズを除去するためのものである。ＣＭＬリレー１−１２−３は、回線を外部電話機とモデムとに切り換えるリレーである。
【００２９】
ＲＥＴコイル１−１２−４は、回線を直流補捉するためのコイルである。ハイブリッドトランス１−１２−７は、回線を１次側と２次側とに分離するものである。
【００３０】
リンガ回路１−１２−１３は、Ｃｉ信号にて鳴動するものであり、スイッチ１−１２−１４は、回線１−１５とリンガ回路１−１２−１３との間をＯＮ／ＯＦＦするためのものである。スイッチ１−１２−１５は、外部電話機１−１３と回線１−１５とを切り離すためのものである。
【００３１】
モニタ回路１−１２−１６は、モデム１−１１が通信信号をモニタするための回路であり、また、通話電流を検出して電話機１−１３のフック状態をＣＰＵ１−１に通知する回路である。極性反転検出回路１−１２−１７は、回線の極性反転を検出するものである。
【００３２】
その他、本回路は、コンデンサ１−１２−５、バリスタ１−１２−６、抵抗１−１２−８、９、１０、オペアンプ１−１２−１１、１２等を有して構成されている。
【００３３】
図３、図４は、本実施例の動作を示すフローチャートである。以下、本実施例の動作について説明する。
【００３４】
まず、本ファクシミリ装置の電源投入後、ＣＰＵ１−１はＲＯＭ１−２のプログラムに従って各種イニシャル設定を行い、スタンバイ状態に入る。すなわち、スイッチ１−１２−１４、スイッチ１−１２−１５をオフ、ＣＭＬリレー１−１２−３を［０］側にイニシャライズして、スタンバイ状態に入る。
【００３５】
なお、本実施例では、電源投入時のイニシャル設定のデフォルトとして、回線からの発呼者電話番号（以下、発ＩＤという）の検出シーケンスを本ファクシミリ装置側で行うように設定する場合を例に説明する。
【００３６】
次に、スタンバイ状態より、ステップＳ１において、操作部１−５に具備された、外部電話の発ＩＤ検出手段を使って発ＩＤの検出シーケンスを行うか、本ファクシミリ装置の検出手段を使って発ＩＤの検出シーケンスを行うかを、切り換えるためのＩＤ切換キーが押下されたかどうか判断する。
【００３７】
ここで、ＩＤ切換キーが押下された場合は、ステップＳ２において、現在どちらの検出シーケンスを使うモードに設定されているか判断する。イニシャル設定でデフォルトがファクシミリ装置側に設定されている場合は、ステップＳ４において、スイッチ１−１２−１５をオン、スイッチ１−１２−１４をオフ、ＣＭＬリレー１−１２−３を［０］側に設定し、外部電話側の検出シーケンスを使うモードに切り換える。
【００３８】
また、ステップＳ２において、外部電話側の検出シーケンスを使うモードに設定されていた場合は、ステップＳ３において、スイッチ１−１２−１５、スイッチ１−１２−１４をオフ、ＣＭＬリレー１−１２−３を［０］側に設定し、本ファクシミリ装置側の検出シーケンスを使うモードに切り換える。
【００３９】
ステップＳ３、Ｓ４でモード設定した後、もしくはステップＳ１において、切換キーが押下されなかった場合には、ステップＳ５において、電話回線の極性を検出し、極性反転がなければステップＳ１に戻る。また、極性反転を検出したら、ステップＳ６において、どちらの検出シーケンスを使うモードに設定されているか判断する。
【００４０】
ここで外部電話側が検出するモードの場合は、ステップＳ７において、電話回線からＩＤ受信端末起動信号が送られてくる。このＩＤ受信端末起動信号は、通常のＣｉパターンのＯＮ／ＯＦＦ間隔が異なる信号であるので、Ｃｉ信号検出回路１−１２−１を使って、ＣＰＵ１−１のサンプリング間隔をソフトウエアで切り換えることで検出可能である。
【００４１】
ステップＳ７において、ＩＤ受信端末起動信号を検出したら、ステップＳ８において、モニタ回路１−１２−１６からモデム１−１１のＲＸ入力へのパスを有効にし、外部電話の発ＩＤの検出シーケンスのモニタ監視を開始する。
【００４２】
次にステップＳ９において、電話回線から送られてくるＩＴＵ−Ｔ勧告Ｖ．２３に準拠したモデム信号による発ＩＤを、モニタ回路１−１２−１６を通してモデム１−１１にて検出する。そして、発ＩＤを検出したら、ステップＳ１０において、表示部１−６のＬＣＤに、検出した発呼者電話番号を表示する。
【００４３】
ステップＳ１１において、回線からの呼出信号Ｃｉを検出すると、スイッチ１−１２−１４をオンし、回線からのＣｉ信号をリンガ回路１−１２−１３に接続することにより、ステップＳ１２において、リンガ回路１−１２−１３が鳴動する。
【００４４】
以上のステップで、外部電話および本ファクシミリ装置の両方が鳴動し、発ＩＤをディスプレイ表示する。
【００４５】
この着信に対し、ステップＳ１３において、オペレータが着信（オフフック）するかどうか判断し、オフフックしない場合は、ステップＳ１４において、発呼者が発呼の途中放棄するのを待ってスタンバイに戻る。
【００４６】
ステップＳ１３において、オフフックした場合は、ステップＳ１５において、発呼側がファクシミリ装置であった場合は、ステップＳ１３において、本ファクシミリ装置のハンドセットでオフフックしている場合は、ステップＳ１７において、操作部１−５のスタートキーを押下し、通常のファクシミリ受信動作を行い、スタンバイに戻る。
【００４７】
外部電話でオフフックしている場合は、ステップＳ１７において、回線からのＣＮＧ信号をモニタ回路１−１２−１６を通して検出し、ＣＭＬリレーを［１］側に切り換えて、通常のファクシミリ受信動作を行い、スタンバイに戻る。
【００４８】
ステップＳ１５において、発呼側が電話であった場合は、ステップＳ１６において、本ファクシミリ装置のハンドセットか、外部電話のいずれかのオフフックしている方で通話し、スタンバイ状態に戻る。
【００４９】
次に、ステップＳ６において、本ファクシミリ装置が発ＩＤを検出するモードの場合は、ステップＳ１８において、電話回線からＩＤ受信端末起動信号を検出する。前述したように、このＩＤ受信端末起動信号は、通常のＣｉパターンのＯＮ／ＯＦＦ間隔が異なる信号であるので、Ｃｉ検出回路１−１２−１を使って検出する。
【００５０】
ＩＤ受信端末起動信号を検出すると、ステップＳ１９において、ＣＭＬリレー１−１２−３を［１］側に切り換えて直流捕捉することで、交換機に対して１次応答信号を返す。
【００５１】
交換機は、１次応答信号を受けて、ステップＳ２０において、ＩＴＵ−Ｔ勧告Ｖ．２３に準拠したモデム信号により、発ＩＤを電話回線を介して送ってくるので、モデム１−１１にて発ＩＤを検出する。
【００５２】
発ＩＤ検出後、ステップＳ２１において、ＣＭＬリレー１−１２−３を［０］側に切り換えて回線を開放することで、交換機に対して受信完了信号を返し、ステップＳ２２において、表示部１−６のＬＣＤに検出した発呼者電話番号を表示する。
【００５３】
ステップＳ２３において、その検出した発ＩＤと、不揮発性ＲＡＭ１−４に登録されている短縮ダイヤル等の電話番号と照合する。ステップＳ２４において、ＲＡＭ１−４に登録されている電話番号のうち、ＦＡＸ番号と一致した場合は、ステップＳ２５において、回線から送られてくる呼出信号Ｃｉを検出後、ステップＳ２６において、ＣＭＬリレー１−１２−３を［１］側に切り換えて回線を捕捉し、Ｃｉ対して鳴動することなく、通常のファクシミリ受信動作を行って、スタンバイ状態に戻る。
【００５４】
ステップＳ２４において、照合した結果がＦＡＸ番号と一致しなかった場合は、ステップＳ２７において、回線から送られてくる呼出信号Ｃｉを検出後、ステップＳ２８において、スイッチ１−１２−１４、スイッチ１−１２−１５をオンし、Ｃｉに対してリンガ回路１−１２−１３および外部電話を鳴動させる。
【００５５】
ステップＳ２９において、オペレータが着信（オフフック）するかどうか判断し、オフフックしない場合は、ステップＳ３３において、発呼者が発呼の途中放棄するのを待ってスタンバイに戻る。
【００５６】
ステップＳ２９において、オフフックした場合、ステップＳ３０において、発呼側がファクシミリ装置であった場合には、本ファクシミリ装置のハンドセットでのオフフックであれば、ステップＳ３２において、操作部１−５のスタートキーを押下し、通常のファクシミリ受信動作を行い、スタンバイに戻る。
【００５７】
また、外部電話でのオフフックであれば、ステップＳ３２において、回線からのＣＮＧ信号をモニタ回路１−１２−１６を通して検出し、ＣＭＬリレー１−１２−３を［１］側に切り換えて、通常のファクシミリ受信動作を行い、スタンバイに戻る。
【００５８】
ステップＳ３０において、発呼側が電話であった場合には、ステップＳ３１において、本ファクシミリ装置のハンドセットか外部電話のいずれかのオフフックしている方で通話し、スタンバイ状態に戻る。
【００５９】
なお、以上は本通信装置と外部通信装置の一例として、ファクシミリ装置と電話機の組み合わせを例に説明したが、他の通信機を組み合わせたものであってもよい。
【００６０】
【発明の効果】
本発明によれば、発呼側電話番号の検出シーケンスを実行することができる装置を１つの回線に複数台接続しても、どちらの装置が発呼側電話番号の検出を行うかを選択できるようにするので、誤動作や検出不能を未然に防止することができ、しかも、検出シーケンスを実行する装置を選択しても、その選択に係わらずに呼出信号に対する応答後のデータ通信信号の検出に応じた適切なデータ通信を行うことができるという作用効果を奏する。
【図面の簡単な説明】
【図１】本発明の実施例によるファクシミリ装置の構成を示すブロック図である。
【図２】上記実施例におけるＮＣＵ部の構成を示す回路図である。
【図３】上記実施例の動作を示すフローチャートである。
【図４】上記実施例の動作を示すフローチャートである。
【符号の説明】
１−１…ＣＰＵ、
１−２…ＲＯＭ、
１−３…ＲＡＭ、
１−４…不揮発性ＲＡＭ、
１−５…操作部、
１−６…表示部、
１−７…画像処理部、
１−８…読み取り部、
１−９…記録部、
１−１０…駆動部、
１−１１…モデム、
１−１２…ＮＣＵ部、
１−１３…外部電話機、
１−１４…センサ部、
１−１５…加入者回線。
【図１】
0003862421.tif 000002
【図２】
0003862421.tif 000003
【図３】
0003862421.tif 000004
【図４】
0003862421.tif 000005